(57)【要約】      （修正有）【課題】消費電力を低減することができる画像装置の駆動方法を提供する。【解決手段】発光素子を発光させる発光期間と、前記発光素子の発光を停止させる非発光期間とを交互に繰り返し、前記非発光期間において、書込信号による書込トランジスタの制御により、保持容量の端子間電圧を信号線駆動信号に応じた電圧に設定し、続く前記発光期間における前記発光素子の発光輝度を設定し、走査線駆動回路は、画像データに動きが無い場合、前記書込信号による前記書込トランジスタの制御を停止し、前記書込トランジスタをオフ状態に保持する。【選択図】図１
2010039176.tif 000002
【特許請求の範囲】
【請求項１】
画素回路をマトリックス状に配置して形成された表示部と、
画像データを処理して信号線用駆動信号を生成し、前記信号線用駆動信号を前記表示部の信号線に出力する信号線駆動回路と、
前記表示部の電源用走査線及び書込用走査線に電源用駆動信号及び書込信号を出力する走査線駆動回路とを有し、
前記画素回路は、
発光素子と、
ゲートソース間電圧に応じた駆動電流により前記発光素子を駆動する駆動トランジスタと、
前記ゲートソース間電圧を保持する保持容量と、
前記保持容量の一端の電圧を前記信号線用駆動信号の電圧に設定する書込トランジスタとを少なくとも有し、
前記発光素子を発光させる発光期間と、前記発光素子の発光を停止させる非発光期間とを交互に繰り返し、
前記非発光期間において、前記書込信号による前記書込トランジスタの制御により、前記保持容量の端子間電圧を前記信号線駆動信号に応じた電圧に設定し、続く前記発光期間における前記発光素子の発光輝度を設定し、
前記走査線駆動回路は、
前記画像データに動きが無い場合、前記書込信号による前記書込トランジスタの制御を停止し、前記書込トランジスタをオフ状態に保持する
画像表示装置。
【請求項２】
前記画像データの動きを判定する動き判定部を有し、
前記走査線駆動回路は、
前記動き判定部の判定結果に基づいて、前記書込信号による前記書込トランジスタの制御を停止する
請求項１に記載の画像表示装置。
【請求項３】
前記動き判定部の判定が、フィールド単位の判定である
請求項２に記載の画像表示装置。
【請求項４】
前記画素回路は、
前記電源用駆動信号による前記駆動トランジスタのドレイン電圧の制御により、前記発光期間と前記非発光期間とを交互に繰り返す
請求項１に記載の画像表示装置。
【請求項５】
前記画素回路は、
前記画像データに動きが無い場合、
前記電源用駆動信号による前記駆動トランジスタのドレイン電圧の制御により、前記発光期間と前記非発光期間とを交互に繰り返し、
前記画像データに動きが有る場合、
前記電源用駆動信号による前記駆動トランジスタのドレイン電圧の制御により、前記非発光期間を開始すると共に、前記保持容量の他端の電圧を前記ドレイン電圧に対応する電圧に設定した後、
前記書込信号による前記書込トランジスタの制御により、前記保持容量の一端の電圧を前記信号線用駆動信号の電圧に設定し、前記保持容量の端子間電圧を前記駆動トランジスタのしきい値電圧以上の電圧に設定し、前記駆動トランジスタを介した前記保持容量の端子間電圧の放電により、前記保持容量の端子間電圧を前記駆動トランジスタのしきい値電圧に設定し、
続いて前記書込信号による前記書込トランジスタの制御により、前記保持容量の端子電圧を前記信号線用駆動信号の電圧に設定して前記発光素子の発光輝度を設定し、続く前記発光期間を開始する
請求項１に記載の画像表示装置。
【請求項６】
前記走査線駆動回路は、
前記画像データに動きが無い場合、前記信号線駆動信号の出力を停止する
請求項３に記載の画像表示装置。
【請求項７】
画素回路をマトリックス状に配置して形成された表示部と、
画像データを処理して信号線用駆動信号を生成し、前記信号線用駆動信号を前記表示部の信号線に出力する信号線駆動回路と、
前記表示部の電源用走査線及び書込用走査線に電源用駆動信号及び書込信号を出力する走査線駆動回路とを有する画像表示装置の駆動方法において、
前記画素回路は、
発光素子と、
ゲートソース間電圧に応じた駆動電流により前記発光素子を駆動する駆動トランジスタと、
前記ゲートソース間電圧を保持する保持容量と、
前記保持容量の一端の電圧を前記信号線用駆動信号の電圧に設定する書込トランジスタとを少なくとも有し、
前記発光素子を発光させる発光期間と、前記発光素子の発光を停止させる非発光期間とを交互に繰り返し、
前記非発光期間において、前記書込信号による前記書込トランジスタの制御により、前記保持容量の端子間電圧を前記信号線駆動信号に応じた電圧に設定して、続く前記発光期間における前記発光素子の発光輝度を設定し、
前記画像表示装置の駆動方法は、
前記画像データに動きが無い場合、前記書込信号による前記書込トランジスタの制御を停止し、前記書込トランジスタをオフ状態に保持する
画像表示装置の駆動方法。
【発明の詳細な説明】
【技術分野】
【０００１】
本発明は、画像表示装置及び画像表示装置の駆動方法に関し、例えば有機ＥＬ（Electro Luminescence）素子によるアクティブマトリックス型の画像表示部を有する電子スチルカメラに適用することができる。本発明は、画像データに動きが無い場合、書込信号による書込トランジスタの制御を停止することにより、従来に比して消費電力を低減することができるようにする。
【背景技術】
【０００２】
従来、電子スチルカメラ、ビデオカメラ等は画像表示装置として機能してユーザーの使い勝手を向上している。すなわち電子スチルカメラは、撮像素子から動画像データを取得し、この動画像データを画像表示部で表示する。これにより電子スチルカメラは、撮像対象を動画像により確認できるようにし、ユーザーの使い勝手を向上する。
【０００３】
また電子スチルカメラは、シャッターボタンが操作されると、撮像素子から得られる画像データをメモリに一時保持し、静止画像による撮像結果を取得する。電子スチルカメラは、このメモリに一時保持した画像データを画像表示部で表示する。これにより電子スチルカメラは、撮影直後、撮像結果を確認できるようにし、ユーザーの使い勝手を向上する。
【０００４】
近年、この種の画像表示装置として、有機ＥＬ素子を用いたアクティブマトリックス型の画像表示装置の開発が盛んになっている。ここで有機ＥＬ素子を用いた画像表示装置は、電界の印加により発光する有機薄膜の発光現象を利用した画像表示装置である。有機ＥＬ素子は、１０〔Ｖ〕以下の印加電圧で駆動することができる。従ってこの種の画像表示装置は、消費電力を低減することができる。また有機ＥＬ素子は、自発光素子である。従ってこの種の画像表示装置は、バックライト装置を必要とせず、軽量化、薄型化することができる。さらに有機ＥＬ素子は、応答速度が数μ秒程度と速い特徴がある。従ってこの種の画像表示装置は、動画像表示時に残像が殆ど発生しない特徴がある。
【０００５】
具体的に、有機ＥＬ素子を用いたアクティブマトリックス型の画像表示装置は、有機ＥＬ素子と有機ＥＬ素子を駆動する駆動回路とによる画素回路をマトリックス状に配置して表示部が形成される。画像表示装置は、この表示部の周囲に信号線駆動回路及び走査線駆動回路が配置される。信号線駆動回路は、表示部に設けられた信号線を介して順次入力される画像データに応じて各画素回路を駆動し、走査線駆動回路は、表示部に設けられた走査線を介して各画素回路を駆動する。
【０００６】
従来、この有機ＥＬ素子を用いた画像表示装置に関して、特開２００７−３１０３１１号公報には、２つのトランジスタを用いて画素回路を構成する方法が開示されている。従ってこの特開２００７−３１０３１１号公報に開示の方法によれば、構成を簡略化することができる。またこの特開２００７−３１０３１１号公報には、有機ＥＬ素子を駆動する駆動トランジスタのしきい値電圧のばらつき、移動度のばらつきを補正する構成が開示されている。従ってこの特開２００７−３１０３１１号公報に開示の構成によれば、駆動トランジスタのしきい値電圧のばらつき、移動度のばらつきによる画質劣化を防止することができる。
【０００７】
また特開２００７−１３３２８４号公報には、駆動トランジスタのしきい値電圧のばらつきを補正する処理を複数回に分けて実行する構成が提案されている。この特開２００７−１３３２８４号公報に開示の構成によれば、高精度化して画素回路の階調設定に割り当てる時間が短くなった場合でも、しきい値電圧のばらつき補正に十分な時間を割り当てることができる。従って高精度化した場合でも、しきい値電圧のばらつきによる画質劣化を防止することができる。
【特許文献１】特開２００７−３１０３１１号公報
【特許文献２】特開２００７−１３３２８４号公報
【発明の開示】
【発明が解決しようとする課題】
【０００８】
ところでこの種の画像表示装置では、消費電力を低減することが求められる。すなわち例えば電子スチルカメラ等の携帯機器に適用する場合にあっては、消費電力の低減によりバッテリーの使用時間を増大することができ、さらにはバッテリーの形状を小型化することができる。
【０００９】
本発明は以上の点を考慮してなされたもので、従来に比して消費電力を低減することができる画像表示装置及び画像表示装置の駆動方法を提案しようとするものである。
【課題を解決するための手段】
【００１０】
上記の課題を解決するため請求項１の発明は、画像表示装置に適用して、画素回路をマトリックス状に配置して形成された表示部と、画像データを処理して信号線用駆動信号を生成し、前記信号線用駆動信号を前記表示部の信号線に出力する信号線駆動回路と、前記表示部の電源用走査線及び書込用走査線に電源用駆動信号及び書込信号を出力する走査線駆動回路とを有する。前記画素回路は、発光素子と、ゲートソース間電圧に応じた駆動電流により前記発光素子を駆動する駆動トランジスタと、前記ゲートソース間電圧を保持する保持容量と、前記保持容量の一端の電圧を前記信号線用駆動信号の電圧に設定する書込トランジスタとを少なくとも有し、前記発光素子を発光させる発光期間と、前記発光素子の発光を停止させる非発光期間とを交互に繰り返し、前記非発光期間において、前記書込信号による前記書込トランジスタの制御により、前記保持容量の端子間電圧を前記信号線駆動信号に応じた電圧に設定し、続く前記発光期間における前記発光素子の発光輝度を設定する。前記走査線駆動回路は、前記画像データに動きが無い場合、前記書込信号による前記書込トランジスタの制御を停止し、前記書込トランジスタをオフ状態に保持する。
【００１１】
また請求項７の発明は、画素回路をマトリックス状に配置して形成された表示部と、画像データを処理して信号線用駆動信号を生成し、前記信号線用駆動信号を前記表示部の信号線に出力する信号線駆動回路と、前記表示部の電源用走査線及び書込用走査線に電源用駆動信号及び書込信号を出力する走査線駆動回路とを有する画像表示装置の駆動方法に適用する。前記画素回路は、発光素子と、ゲートソース間電圧に応じた駆動電流により前記発光素子を駆動する駆動トランジスタと、前記ゲートソース間電圧を保持する保持容量と、前記保持容量の一端の電圧を前記信号線用駆動信号の電圧に設定する書込トランジスタとを少なくとも有し、前記発光素子を発光させる発光期間と、前記発光素子の発光を停止させる非発光期間とを交互に繰り返し、前記非発光期間において、前記書込信号による前記書込トランジスタの制御により、前記保持容量の端子間電圧を前記信号線駆動信号に応じた電圧に設定して、続く前記発光期間における前記発光素子の発光輝度を設定する。前記画像表示装置の駆動方法は、前記画像データに動きが無い場合、前記書込信号による前記書込トランジスタの制御を停止し、前記書込トランジスタをオフ状態に保持する。
【００１２】
請求項１、又は請求項７の構成により、画像データに動きが無い場合、書込信号による書込トランジスタの制御を停止し、書込トランジスタをオフ状態に保持すれば、発光輝度の階調を変更する必要の無い場合に、発光素子の階調を設定する処理を中止することができる。従ってこの発光素子の階調の設定に係る消費電力を低減し、画像表示装置全体の消費電力を低減することができる。
【発明の効果】
【００１３】
本発明によれば、従来に比して消費電力を低減することができる。
【発明を実施するための最良の形態】
【００１４】
以下、適宜図面を参照しながら本発明の実施の形態を詳述する。なお説明は、以下の順序で行う。
【００１５】
１．第１の実施の形態（書込信号による制御）
２．第２の実施の形態（書込信号及び信号線駆動信号による制御）
３．変形例
＜第１の実施の形態＞
［実施の形態の構成］
［全体構成］
図１は、本発明の第１の実施の形態に係る電子スチルカメラに適用される画像表示部を示すブロック図である。この実施の形態の電子スチルカメラ１は、カメラモードに設定されると、撮像素子を用いて高解像度の動画像データを取得し、この動画像データの解像度を低減して画像表示部１０に画像データＤ１を入力する。またユーザーの操作に応動してこの高解像度の動画像データを所定の記録媒体に記録し、これにより動画像の撮像結果を記録して保持する。またユーザーがシャッターボタンを操作すると、撮像素子から得られる高解像度の画像データを取得してメモリに一時格納し、この画像データの解像度を低減して画像データＤ１により画像表示部１０に入力する。この状態でユーザーが撮像結果の記録を指示すると、メモリに保持した高解像度の画像データを記録媒体に記録し、これにより静止画像による撮像結果を記録して保持する。またユーザーが記録媒体に記録した撮像結果のモニタを指示すると、記録媒体から順次、静止画像、動画像の画像データを読み出し、画像データＤ１により画像表示部１０に入力する。従ってこの実施の形態において、画像表示部１０には、ユーザーの操作に応動して動画像及び静止画像の画像データＤ１が入力される。
【００１６】
画像表示部１０において、動き判定部２は、画像データＤ１を入力し、所定ブロック単位で動き判定結果を出力する。ここでこの実施の形態において、動き判定部２は、画像データをデータ圧縮するエンコーダの構成を利用して構成され、画像データＤ１のマクロブロックで順次検出される動きベクトルの大きさを判定し、画像データＤ１のフィールド毎に、動画像か否か判定する。なおこの動き判定は、種々の判定方法を広く適用することができ、例えば対応する画素値のフィールド間差分値の絶対値和をしきい値で判定してもよい。
【００１７】
タイミングジェネレータ（ＴＧ）３は、信号線駆動回路４、走査線駆動回路５の動作に必要なサンプリングパルスＳＰ、クロックＣＫを生成して出力する。またタイミングジェネレータ３は、動き判定部２の判定結果に基づいて、走査線駆動回路５の動作を制御する制御信号Ｓ２を出力する。具体的に、タイミングジェネレータ３は、画像データＤ１の現フィールドが前フィールドに対して動画像である場合、制御信号Ｓ２をイネーブルに設定し、走査線駆動回路５の動作を動画像表示時の動作に設定する。これに対してタイミングジェネレータ３は、画像データＤ１の現フィールドが前フィールドに対して静止画像である場合、制御信号Ｓ２をディセーブルに設定し、走査線駆動回路５の動作を静止画像表示時の動作に設定する。なお動き判定部２、タイミングジェネレータ３は、この電子スチルカメラの制御基板に実装されて保持される。
【００１８】
信号線駆動回路４、走査線駆動回路５は、信号線ＤＴＬ及び走査線ＤＳＬ、ＷＳＬを介して、表示部６に設けられた画素回路７を駆動し、画像データＤ１を表示部６で表示する。
【００１９】
［表示部の構成］
ここで図２は、表示部６を信号線駆動回路４、走査線駆動回路５と共に示すブロック図である。この表示部６は、ガラス等の絶縁基板上に作成され、信号線駆動回路４、走査線駆動回路５は、この絶縁基板上、表示部６の周囲に配置される。
【００２０】
ここで表示部６は、画素回路７をマトリックス状に配置して形成され、画素回路７に設けられた有機ＥＬ素子により画素（ＰＩＸ）９が形成される。なおカラー画像の画像表示装置では、赤色、緑色及び青色による複数のサブ画素により１つの画素が構成されることから、カラー画像の画像表示装置の場合、表示部６は、赤色、緑色及び青色のサブ画素をそれぞれ構成する赤色用、緑色用及び青色用の画素回路７を順次配置して構成される。
【００２１】
信号線駆動回路４は、表示部６に設けられた信号線ＤＴＬに信号線用の駆動信号Ｓｓｉｇを出力する。より具体的に、信号線駆動回路４は、データスキャン回路４Ａにおいて、ラスタ走査順に入力される画像データＤ１を順次ラッチして画像データＤ１を信号線ＤＴＬに振り分けた後、それぞれディジタルアナログ変換処理する。信号線駆動回路４は、このディジタルアナログ変換結果を処理して各信号線ＤＴＬの駆動信号Ｓｓｉｇを生成する。
【００２２】
走査線駆動回路５は、表示部６に設けられた書込信号用の走査線ＷＳＬ及び電源用の走査線ＤＳＬにそれぞれ書込信号ＷＳ及び電源用駆動信号ＤＳを出力する。ここで書込信号ＷＳは、各画素回路７に設けられた書込トランジスタをオンオフ制御する信号である。また電源用駆動信号ＤＳは、各画素回路７に設けられた駆動トランジスタのドレイン電圧を制御する信号である。走査線駆動回路５は、それぞれライトスキャン回路（ＷＳＣＮ）５Ａ及びドライブスキャン回路（ＤＳＣＮ）５Ｂにおいて、所定のサンプリングパルスＳＰをクロックＣＫで処理して書込信号ＷＳ及び駆動信号ＤＳを生成する。
【００２３】
［画素回路の基本構成］
図３は、画素回路７の構成を詳細に示す接続図である。画素回路７は、有機ＥＬ素子８のカソードが所定の負側電圧に設定され、この図３の例ではこの負側電圧がアースラインの電圧に設定される。画素回路７は、有機ＥＬ素子８のアノードが駆動トランジスタＴｒ２のソースに接続される。なお駆動トランジスタＴｒ２は、例えばＴＦＴによるＮチャンネル型トランジスタである。画素回路７は、この駆動トランジスタＴｒ２のドレインが電源用の走査線ＤＳＬに接続され、この走査線ＤＳＬに走査線駆動回路５から電源用駆動信号ＤＳが供給される。これらにより画素回路７は、ソースフォロワ回路構成の駆動トランジスタＴｒ２を用いて有機ＥＬ素子８を電流駆動する。なおこの図３において、容量Ｃｅｌは、有機ＥＬ素子８の浮遊容量である。
【００２４】
画素回路７は、この駆動トランジスタＴｒ２のゲート及びソース間に、駆動トランジスタＴｒ２のゲートソース間電圧Ｖｇｓを保持する保持容量Ｃｓが設けられ、書込信号ＷＳによりこの保持容量Ｃｓのゲート側端電圧が駆動信号Ｓｓｉｇの電圧に設定される。その結果、画素回路７は、駆動信号Ｓｓｉｇに応じたゲートソース間電圧Ｖｇｓにより駆動トランジスタＴｒ２で有機ＥＬ素子８を電流駆動する。
【００２５】
すなわち画素回路７は、書込信号ＷＳによりオンオフ動作する書込トランジスタＴｒ１を介して、駆動トランジスタＴｒ２のゲートが信号線ＤＴＬに接続される。なおここで書込トランジスタＴｒ１は、例えばＴＦＴによるＮチャンネル型トランジスタである。
【００２６】
図４は、この画素回路７の基本動作の説明に供するタイムチャートである。画素回路７は、電源用駆動信号ＤＳが電源電圧Ｖｃｃに立ち上げられている期間で駆動トランジスタＴｒ２により有機ＥＬ素子８を駆動する（図４（Ｂ））。従って電源用駆動信号ＤＳを電源電圧Ｖｃｃに立ち上げている期間が、有機ＥＬ素子８が発光する発光期間となる。
【００２７】
この発光期間において、画素回路７は、書込信号ＷＳにより書込トランジスタＴｒ１がオフ状態に設定される（図４（Ａ））。これにより画素回路７は、発光期間の間、図５に示すように、保持容量Ｃｓの端子間電圧である駆動トランジスタＴｒ２のゲートソース間電圧Ｖｇｓ（図４（Ｄ）及び（Ｅ））に応じた駆動電流Ｉｄｓで有機ＥＬ素子８を発光させる。なおここでこの駆動電流Ｉｄｓは、次式により表される。ここでＶｔｈは、駆動トランジスタＴｒ２のしきい値電圧であり、μは、駆動トランジスタＴｒ２の移動度である。またＷ及びＬは、駆動トランジスタＴｒ２のチャンネル幅及びチャンネル長であり、Ｃｏｘは、駆動トランジスタＴｒ２の単位面積当たりのゲート絶縁膜の容量である。
【００２８】
【数１】
2010039176.tif 000003
【００２９】
画素回路７は、電源用駆動信号ＤＳを電圧Ｖｉｎｉに立ち下げると、駆動トランジスタＴｒ２への電源の供給が停止する。従って、電源用駆動信号ＤＳを電圧Ｖｉｎｉに立ち下げている期間が、有機ＥＬ素子８が発光を停止する非発光期間となる。ここでこの固定電圧Ｖｉｎｉは、駆動トランジスタＴｒ２のドレインをソースとして機能させるのに十分に低い電圧であって、かつ有機ＥＬ素子８のカソード電圧より低い電圧である。
【００３０】
すなわち画素回路７は、非発光期間が開始すると、電源用駆動信号ＤＳが電圧Ｖｉｎｉに立ち下がることにより、駆動トランジスタＴｒ２のソース側端に保持された浮遊容量Ｃｅｌの蓄積電荷が走査線ＤＳＬに流出する。その結果、画素回路７は、図６に示すように、駆動トランジスタＴｒ２のソース電圧Ｖｓがほぼ電圧Ｖｉｎｉに低下して有機ＥＬ素子８が発光を停止する（図４（Ｅ））。またこのソース電圧Ｖｓの低下に連動して、駆動トランジスタＴｒ２のゲート電圧Ｖｇが低下する（図４（Ｄ））。
【００３１】
画素回路７は、非発光期間の間、続いて走査線駆動回路５により信号線ＤＴＬの電圧が有機ＥＬ素子８の発光輝度を指示する階調設定電圧Ｖｓｉｇに設定され（図４（Ｃ））、書込信号ＷＳにより書込トランジスタＴｒ１がオン状態に設定される（図４（Ａ））。これにより画素回路７は、図７に示すように、保持容量Ｃｓの端子間電圧が階調設定電圧Ｖｓｉｇに応じた電圧（Ｖｓｉｇ−Ｖｉｎｉ）に設定され、続く発光期間における有機ＥＬ素子８の発光輝度が設定される。
【００３２】
画素回路７は、続いて図８に示すように、書込信号ＷＳにより書込トランジスタＴｒ１がオフ状態に設定された後、図９に示すように、電源用駆動信号ＤＳが電源電圧Ｖｃｃに立ち上げられて発光期間が開始する。なお画素回路７は、発光期間が開始すると、いわゆるブートストラップ回路により駆動トランジスタＴｒ２のゲート電圧Ｖｇ及びソース電圧Ｖｓが上昇する。図８における（１−ＢＳＴｇａｉｎ）×ΔＶ及びＢＳＴｇａｉｎ×ΔＶは、このブートストラップ回路によるソース電圧Ｖｓ及びゲート電圧Ｖｇの電圧変動分である。
【００３３】
［画素回路の具体的構成］
ところで画素回路７の構成するトランジスタＴｒ１、Ｔｒ２は、ＴＦＴ（Thin Film Transistor）により構成され、ＴＦＴは、しきい値電圧Ｖｔｈ、移動度μのばらつきが大きい欠点がある。画素回路７では、（１）式に示されているように、しきい値電圧Ｖｔｈ、移動度μがばらつくと、ゲートソース間電圧Ｖｇｓに対して駆動電流Ｉｄｓがばらつくことになる。その結果、表示部６では、各画素回路７で発光輝度がばらつき、画質が著しく劣化する。
【００３４】
そこでこの画素回路７は、図３との対比により図１０に示すように、しきい値電圧Ｖｔｈ、移動度μのばらつき補正処理を実行する。
【００３５】
すなわちこの図１０の構成において、信号線駆動回路４は、しきい値電圧の補正用電圧Ｖｏｆｓを間に挟んで、各信号線ＤＴＬに接続された各画素回路７の階調設定電圧Ｖｓｉｇを順次出力する（図１０（Ｂ））。なおここでしきい値電圧補正用の固定電圧Ｖｏｆｓは、駆動トランジスタＴｒ２のしきい値電圧のばらつき補正に使用する固定電圧である。また階調設定電圧Ｖｓｉｇは、有機ＥＬ素子８の発光輝度を指示する電圧であり、階調電圧Ｖｉｎにしきい値電圧補正用の固定電圧Ｖｏｆｓを加算した電圧である。また階調電圧Ｖｉｎは、有機ＥＬ素子８の発光輝度に対応する電圧である。階調電圧Ｖｉｎは、各信号線ＤＴＬに振り分けた画像データＤ１をそれぞれディジタルアナログ変換処理して信号線ＤＴＬ毎に生成される。なお、ＶＤは（図１０（Ａ））、垂直同期信号である。
【００３６】
画素回路７は、時点ｔ０で非発光期間が開始すると、電源用駆動信号ＤＳが所定の固定電圧Ｖｓｓに立ち下げられる（図１０（Ｄ））。ここでこの固定電圧Ｖｓｓは、駆動トランジスタＴｒ２のドレインをソースとして機能させるのに十分に低い電圧であって、かつ有機ＥＬ素子８のカソード電圧より低い電圧である。
【００３７】
これにより画素回路７は、駆動トランジスタＴｒ２のソース側端の蓄積電荷が駆動トランジスタＴｒ２を介して走査線ＤＳＬに流出し、駆動トランジスタＴｒ２のソース電圧Ｖｓがほぼ電圧Ｖｓｓに立ち下がる（図１０（Ｆ））。またこのソース電圧Ｖｓの低下に連動して、駆動トランジスタＴｒ２のゲート電圧Ｖｇが低下する（図１０（Ｅ））。
【００３８】
画素回路７は、その後、信号線ＤＴＬの電圧が固定電圧Ｖｏｆｓに設定されている時点ｔ１で、書込信号ＷＳにより書込トランジスタＴｒ１がオン状態に設定され（図１０（Ｃ））、保持容量Ｃｓのゲート側端電圧が電圧Ｖｏｆｓに設定される。画素回路７は、これにより駆動トランジスタＴｒ２のゲートソース間電圧Ｖｇｓがほぼ電圧Ｖｏｆｓ−Ｖｓｓに設定される。ここで画素回路７は、電圧Ｖｏｆｓ、Ｖｓｓの設定により、この電圧Ｖｏｆｓ−Ｖｓｓが駆動トランジスタＴｒ２のしきい値電圧Ｖｔｈより大きな電圧に設定される。
【００３９】
続いて画素回路７は、電源用駆動信号ＤＳが電源電圧Ｖｃｃに立ち上げられ、信号線ＤＴＬの電圧が固定電圧Ｖｏｆｓに設定されている期間で、書込信号ＷＳにより書込トランジスタＴｒ１が繰り返しオン状態に設定される。これにより画素回路７は、駆動トランジスタＴｒ２のゲート電圧Ｖｇを固定電圧Ｖｏｆｓに設定した状態で、駆動トランジスタＴｒ２を介した保持容量Ｃｓの端子間電圧の放電により、保持容量Ｃｓの端子間電圧が駆動トランジスタＴｒ２のしきい値電圧Ｖｔｈに設定される。
【００４０】
その後、画素回路７は、信号線ＤＴＬの電圧が対応する階調設定電圧Ｖｓｉｇ（＝Ｖｉｎ＋Ｖｏｆｓ）に設定されている時点ｔ２で、書込信号ＷＳにより書込トランジスタＴｒ１がオン状態に切り換えられ（図１０（Ｃ））、駆動トランジスタＴｒ２のゲート電圧Ｖｇが階調設定電圧Ｖｓｉｇに設定される（図１０（Ｅ））。
【００４１】
これにより画素回路７は、駆動トランジスタＴｒ２のゲートソース間電圧Ｖｇｓが、階調電圧Ｖｉｎに駆動トランジスタＴｒ２のしきい値電圧Ｖｔｈを加算した電圧に設定される。これにより画素回路７は、駆動トランジスタＴｒ２のしきい値電圧Ｖｔｈのばらつきを有効に回避して有機ＥＬ素子８を駆動することができ、有機ＥＬ素子８の発光輝度のばらつきによる画質劣化を防止することができる。
【００４２】
画素回路７は、駆動トランジスタＴｒ２のゲート電圧Ｖｇを階調設定電圧Ｖｓｉｇに設定する際に、駆動トランジスタＴｒ２のドレイン電圧を電源電圧Ｖｃｃに保持した状態で、一定期間の間、駆動トランジスタＴｒ２のゲートが信号線ＤＴＬに接続される。これにより画素回路７は、駆動トランジスタＴｒ２の移動度に応じた充電電流により保持容量Ｃｓの端子間電圧を放電させ、併せて駆動トランジスタＴｒ２の移動度μのばらつきを補正する。
【００４３】
なおこの図１０では、保持容量Ｃｓの端子間電圧を駆動トランジスタＴｒ２のしきい値電圧Ｖｔｈ以上の電圧に設定する期間を符号Ａにより示す。また駆動トランジスタＴｒ２による放電により保持容量Ｃｓの端子間電圧を駆動トランジスタＴｒ２のしきい値電圧Ｖｔｈに設定する期間を符号Ｂにより示す。また移動度の補正処理を実行して発光輝度を設定する期間を符号Ｃにより示す。なお符号Ａにより示す期間の開始前に電源用駆動信号ＤＳを電源電圧Ｖｃｃに立ち上げ、保持容量Ｃｓの端子間電圧を駆動トランジスタＴｒ２のしきい値電圧Ｖｔｈ以上の電圧に設定する処理と、駆動トランジスタＴｒ２による放電により保持容量Ｃｓの端子間電圧を駆動トランジスタＴｒ２のしきい値電圧Ｖｔｈに設定する処理とを同時に実行してもよい。
【００４４】
［制御信号による走査線駆動回路の制御］
図１１は、図１０との対比により、制御信号Ｓ２による走査線駆動回路５の制御の説明に供するタイムチャートである。信号線駆動回路４は、信号線駆動回路４用のクロックＣＫ（４）（図１１（Ｂ））により、階調設定電圧Ｖｓｉｇと固定電圧Ｖｏｆｓとを切り換えて出力し、各信号線ＤＴＬの駆動信号Ｓｓｉｇ（図１１（Ｆ））を出力する。
【００４５】
走査線駆動回路５は、電源用駆動信号ＤＳ用のサンプリングパルスＳＰ（ＤＳ）（図１１（Ｃ））を走査線駆動回路５用のクロックにより順次転送して各走査線ＤＳＬの動作基準信号を生成する。走査線駆動回路５は、この動作基準信号により電圧Ｖｃｃ、Ｖｓｓを切り換えて各走査線ＤＳＬの電源用駆動信号ＤＳ（図１１（Ｇ））を出力する。また走査線駆動回路５は、書込信号ＷＳ用のサンプリングパルスＳＰ（ＷＳ）（図１１（Ｄ））を同様にクロックにより順次転送して各走査線ＷＳＬの動作基準信号を生成する。
【００４６】
走査線駆動回路５は、制御信号Ｓ２がイネーブルに設定されている期間の間、この書込信号ＷＳ用の動作基準信号によりＨレベル及びＬレベルを設定して書込信号ＷＳ（図１１（Ｈ））を出力する。これにより表示部６は、画像データＤ１が動画像データの場合、フィールド周期で各画素回路７の階調を設定して発光期間、非発光期間を繰り返す。
【００４７】
これに対して制御信号Ｓ２がディセーブルに設定されている期間の間、書込信号ＷＳ（図１１（Ｈ））をＬレベルに保持する。これにより表示部６は、画像データＤ１が静止画像の場合、書込トランジスタＴｒ１の制御を中止して書込トランジスタＴｒ１をオフ状態に保持し、各画素回路７の階調設定処理を中止して発光期間、非発光期間を繰り返す。
【００４８】
［実施の形態の動作］
以上の構成において、この電子スチルカメラ１では（図１、図２）、撮像素子及び記録媒体から得られる静止画像及び動画像の画像データＤ１が信号線駆動回路４に入力される。この画像データＤ１は、各信号線ＤＴＬに振り分けられた後、ディジタルアナログ変換処理されて階調電圧Ｖｉｎに変換され、この階調電圧Ｖｉｎより各信号線ＤＴＬの駆動信号Ｓｓｉｇが生成される。電子スチルカメラ１では（図３〜図１０）、走査線駆動回路５から出力される書込信号ＷＳによる書込トランジスタＴｒ１の制御により、各画素回路７に設けられた保持容量Ｃｓの端子間電圧が駆動信号Ｓｓｉｇに応じた電圧に設定される。またこの保持容量Ｃｓの端子間電圧によるゲートソース間電圧により駆動トランジスタＴｒ２で有機ＥＬ素子８が駆動され、これにより画像データＤ１による画像を表示することができる。
【００４９】
しかしながら何ら対応策を講じない場合、電子スチルカメラ１では、有機ＥＬ素子８の発光輝度を変更する必要の無い静止画像を表示する場合でも、フィールド周期で書込トランジスタＴｒ１を制御して有機ＥＬ素子８の発光輝度を設定していることになる。従ってこの静止画像を表示する場合の書込トランジスタＴｒ１の制御にあっては、無駄に電力消費していることになる。
【００５０】
そこでこの電子スチルカメラ１では、画像データＤ１が動き判定部２に入力され、ここでフィールド単位で、動きの有無が判定される。またこの判定結果により、タイミングジェネレータ３で制御信号Ｓ２が生成され、この制御信号Ｓ２により静止画像を表示する場合には、書込信号ＷＳによる書込トランジスタＴｒ１の制御が中止され、書込トランジスタＴｒ１が常時オフ状態に保持される。その結果、各画素回路７では、一旦設定された保持容量Ｃｓの端子間電圧が静止画像を表示している期間の間保持され、複数フィールドの期間の間、発光期間及び非発光期間を繰り返して一定の発光輝度で有機ＥＬ素子８が発光することになる。
【００５１】
これによりこの電子スチルカメラ１では、従来に比して走査線駆動回路５の消費電力を低減することができ、その結果、全体の消費電力を低減することができる。
【００５２】
またこの電子スチルカメラ１では、駆動トランジスタＴｒ２のしきい値電圧Ｖｔｈのばらつき補正処理を非発光期間で実行している（図１０、Ａ及びＢ）。具体的に、各画素回路７では、書込信号ＷＳによる書込トランジスタＴｒ１の制御により、保持容量Ｃｓの端子間電圧を駆動トランジスタＴｒ２のしきい値電圧Ｖｔｈ以上の電圧に設定した後、駆動トランジスタＴｒ２を介した放電により保持容量Ｃｓの端子間電圧を駆動トランジスタＴｒ２のしきい値電圧Ｖｔｈに設定し、これにより駆動トランジスタＴｒ２のしきい値電圧Ｖｔｈのばらつきを補正する。また階調設定時、駆動トランジスタＴｒ２の移動度のばらつき補正処理を実行する（図１０、Ｃ）。
【００５３】
従って静止画像表示時、書込信号ＷＳによる書込トランジスタＴｒ１の制御を中止すれば、これら駆動トランジスタＴｒ２のしきい値電圧Ｖｔｈのばらつき補正処理、移動度のばらつき補正処理に要する電力についても、消費を低減することができる。
【００５４】
なおこれにより各画素回路７は、動画像を表示する場合には、書込トランジスタＴｒ１の制御により保持容量Ｃｓの端子電圧を駆動信号Ｓｓｉｇの電圧に設定して発光期間が開始し、電源用駆動信号ＤＳによる駆動トランジスタＴｒ２のドレイン電圧の制御により非発光期間が開始する。これに対して静止画像を表示する場合、書込信号ＷＳによる書込トランジスタＴｒ１の制御を中止したことにより、電源用駆動信号ＤＳによる駆動トランジスタＴｒ２のドレイン電圧の制御によってのみ、発光期間、非発光期間が開始することになる。
【００５５】
これにより電子スチルカメラ１では、動画表示時と静止画像表示時とで、ほぼ発光期間が同一の長さに保持され、動画を表示している場合と静止画像を表示している場合との、表示画面の不自然な輝度レベルの相違を防止することができる。
【００５６】
［実施の形態の効果］
以上の構成によれば、画像データに動きが無い場合、書込信号による書込トランジスタの制御を停止することにより、従来に比して消費電力を低減することができる。
【００５７】
具体的に、画像データの動きを判定する動き判定部を設け、この動き判定部の判定結果に基づいて書込信号による書込トランジスタの制御を停止することにより、従来に比して消費電力を低減することができる。
【００５８】
また電源用駆動信号及び書込信号による制御により保持容量の端子間電圧を設定して駆動トランジスタのしきい値電圧のばらつきを補正するようにして、画像データに動きが無い場合に、書込信号による制御を中止して電源用駆動信号により発光期間、非発光期間を開始することにより、駆動トランジスタのしきい値電圧のばらつきによる画質劣化を有効に回避して、動画像表示時と静止画像表示時との間の輝度レベルの相違を防止することができる。
＜第２の実施の形態＞
図１２は、図１との対比により本発明の第２の実施の形態に係る電子スチルカメラを示すブロック図である。この電子スチルカメラ１１は、タイミングジェネレータ３及び信号線駆動回路４に代えて、タイミングジェネレータ１３及び信号線駆動回路１４が配置される点を除いて、電子スチルカメラ１と同一に構成される。
【００５９】
タイミングジェネレータ１３は、動き判定部２の判定結果に基づいて、信号線駆動回路１４に制御信号Ｓ３を出力する点を除いて、タイミングジェネレータ３と同一に構成される。具体的に、タイミングジェネレータ１３は、画像データＤ１の現フィールドが前フィールドに対して動画像である場合、制御信号Ｓ３をイネーブルに設定し、信号線駆動回路１４の動作を動画像表示時の動作に設定する。これに対してタイミングジェネレータ１３は、画像データＤ１の現フィールドが前フィールドに対して静止画像である場合、制御信号Ｓ３をディセーブルに設定し、信号線駆動回路１４の動作を静止画像表示時の動作に設定する。
【００６０】
図１１との対比により図１３に示すように、信号線駆動回路１４は、制御信号Ｓ３がディセーブルに設定されると、画像データＤ１の処理を中止することにより、信号線駆動信号Ｓｓｉｇの出力を中止する。これに対して制御信号Ｓ３がイネーブルに設定されると、信号線駆動回路４と同様に画像データＤ１を処理して信号線ＤＴＬに駆動信号Ｓｓｉｇを出力する。
【００６１】
この実施例では、画像データに動きが無い場合、さらに信号線ＤＴＬへの駆動信号Ｓｓｉｇの出力を中止することにより、信号線駆動回路の電力消費を低減し、一段と電力消費を低減することができる。
＜変形例＞
なお上述の第１の実施の形態においては、フィールド単位で画像データの動きを判定して書込信号による書込トランジスタの制御を中止する場合について述べたが、本発明はこれに限らず、ライン単位、複数ライン単位で、画像データの動きを判定し、書込信号による書込トランジスタの制御を中止するようにしてもよい。
【００６２】
また上述の第１及び第２の実施の形態においては、画像データの処理により動きの有無を判定して制御信号を出力する場合について述べたが、本発明はこれに限らず、画像データの出力を制御するコントローラからこれらの制御信号を取得してもよい。
【００６３】
また上述の第１及び第２の実施の形態においては、図４について上述した基本の構成を前提に、図１０に示すように、駆動トランジスタのしきい値電圧を補正する処理等を実行する場合について述べたが、本発明はこれに限らず、実用上十分な特性を確保できる場合には、図４について上述した基本の構成により各画素回路を構成して、電源用駆動信号による駆動トランジスタのドレイン電圧の制御により、発光期間と非発光期間とを交互に繰り返すようにしてもよい。
【００６４】
また上述の第１及び第２の実施の形態においては、静止画像を表示している場合には、常時、書込信号による制御、信号線への駆動信号の出力を停止する場合について述べたが、本発明はこれに限らず、一定のフィールド周期で、書込信号による制御、信号線への駆動信号の出力を実行するようにしてもよい。このようにすれば、長時間、静止画像を表示する場合のリーク電流、温度変化等による画質の変化を防止することができる。
【００６５】
また上述の実施の形態においては、駆動トランジスタを介した保持容量の端子間電圧の放電を複数回の期間で実行する場合について述べたが、本発明はこれに限らず、この放電の処理を１回の期間で実行する場合にも広く適用することができる。
【００６６】
また上述の実施の形態においては、Ｎチャンネル型のトランジスタを駆動トランジスタに適用する場合について述べたが、本発明はこれに限らず、Ｐチャンネル型のトランジスタを駆動トランジスタに適用する画像表示装置等に広く適用することができる。
【００６７】
また上述の実施の形態においては、本発明を有機ＥＬ素子の画像表示装置に適用する場合について述べたが、本発明はこれに限らず、電流駆動型の各種自発光素子による画像表示装置に広く適用することができる。
【００６８】
また上述の実施の形態においては、本発明を電子スチルカメラに適用する場合について述べたが、本発明はこれに限らず、携帯電話等の画像表示機能を有する各種の機器、テレビジョン受像機等の各種画像表示装置に広く適用することができる。
【産業上の利用可能性】
【００６９】
本発明は、例えば有機ＥＬ（Electro Luminescence）素子によるアクティブマトリックス型の画像表示部を有する電子スチルカメラに適用することができる。
【図面の簡単な説明】
【００７０】
【図１】本発明の第１の実施の形態に係る電子スチルカメラを示すブロック図である。
【図２】図１の電子スチルカメラの表示部を周辺構成と共に示すブロック図である。
【図３】図２の表示部の画素回路を示す接続図である。
【図４】図３の画素回路の動作の説明に供する信号波形図である。
【図５】図４の信号波形図の説明に供する接続図である。
【図６】図５の続きの説明に供する接続図である。
【図７】図６の続きの説明に供する接続図である。
【図８】図７の続きの説明に供する接続図である。
【図９】図８の続きの説明に供する接続図である。
【図１０】図３の画素回路の動作の説明に供する信号波形図である。
【図１１】走査線の制御の説明に供する接続図である。
【図１２】本発明の第２の実施の形態に係る電子スチルカメラを示すブロック図である。
【図１３】図１２の電子スチルカメラの動作の説明に供する信号波形図である。
【符号の説明】
【００７１】
１、１１……電子スチルカメラ、２……動き判別部、３、１３……タイミングジェネレータ、４、１４……信号線駆動回路、５……走査線駆動回路、６……表示部、７……画素回路、８……有機ＥＬ素子、Ｃｓ……保持容量、ＤＳＬ、ＷＳＬ……走査線、ＤＴＬ……信号線、Ｔｒ１、Ｔｒ２……トランジスタ
【図１】
2010039176.tif 000004
【図２】
2010039176.tif 000005
【図３】
2010039176.tif 000006
【図４】
2010039176.tif 000007
【図５】
2010039176.tif 000008
【図６】
2010039176.tif 000009
【図７】
2010039176.tif 000010
【図８】
2010039176.tif 000011
【図９】
2010039176.tif 000012
【図１０】
2010039176.tif 000013
【図１１】
2010039176.tif 000014
【図１２】
2010039176.tif 000015
【図１３】
2010039176.tif 000016
【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
画素回路をマトリックス状に配置して形成された表示部と、
画像データを処理して信号線用駆動信号を生成し、前記信号線用駆動信号を前記表示部の信号線に出力する信号線駆動回路と、
前記表示部の電源用走査線及び書込用走査線に電源用駆動信号及び書込信号を出力する走査線駆動回路とを有し、
前記画素回路は、
発光素子と、
ゲートソース間電圧に応じた駆動電流により前記発光素子を駆動する駆動トランジスタと、
前記ゲートソース間電圧を保持する保持容量と、
前記保持容量の一端の電圧を前記信号線用駆動信号の電圧に設定する書込トランジスタとを少なくとも有し、
前記発光素子を発光させる発光期間と、前記発光素子の発光を停止させる非発光期間とを交互に繰り返し、
前記非発光期間において、前記書込信号による前記書込トランジスタの制御により、前記保持容量の端子間電圧を前記信号線駆動信号に応じた電圧に設定し、続く前記発光期間における前記発光素子の発光輝度を設定し、
前記走査線駆動回路は、
前記画像データに動きが無い場合、前記書込信号による前記書込トランジスタの制御を停止し、前記書込トランジスタをオフ状態に保持する
画像表示装置。
【請求項２】
前記画像データの動きを判定する動き判定部を有し、
前記走査線駆動回路は、
前記動き判定部の判定結果に基づいて、前記書込信号による前記書込トランジスタの制御を停止する
請求項１に記載の画像表示装置。
【請求項３】
前記動き判定部の判定が、フィールド単位の判定である
請求項２に記載の画像表示装置。
【請求項４】
前記画素回路は、
前記電源用駆動信号による前記駆動トランジスタのドレイン電圧の制御により、前記発光期間と前記非発光期間とを交互に繰り返す
請求項１に記載の画像表示装置。
【請求項５】
前記画素回路は、
前記画像データに動きが無い場合、
前記電源用駆動信号による前記駆動トランジスタのドレイン電圧の制御により、前記発光期間と前記非発光期間とを交互に繰り返し、
前記画像データに動きが有る場合、
前記電源用駆動信号による前記駆動トランジスタのドレイン電圧の制御により、前記非発光期間を開始すると共に、前記保持容量の他端の電圧を前記ドレイン電圧に対応する電圧に設定した後、
前記書込信号による前記書込トランジスタの制御により、前記保持容量の一端の電圧を前記信号線用駆動信号の電圧に設定し、前記保持容量の端子間電圧を前記駆動トランジスタのしきい値電圧以上の電圧に設定し、前記駆動トランジスタを介した前記保持容量の端子間電圧の放電により、前記保持容量の端子間電圧を前記駆動トランジスタのしきい値電圧に設定し、
続いて前記書込信号による前記書込トランジスタの制御により、前記保持容量の端子電圧を前記信号線用駆動信号の電圧に設定して前記発光素子の発光輝度を設定し、続く前記発光期間を開始する
請求項１に記載の画像表示装置。
【請求項６】
前記走査線駆動回路は、
前記画像データに動きが無い場合、前記信号線駆動信号の出力を停止する
請求項３に記載の画像表示装置。
【請求項７】
画素回路をマトリックス状に配置して形成された表示部と、
画像データを処理して信号線用駆動信号を生成し、前記信号線用駆動信号を前記表示部の信号線に出力する信号線駆動回路と、
前記表示部の電源用走査線及び書込用走査線に電源用駆動信号及び書込信号を出力する走査線駆動回路とを有する画像表示装置の駆動方法において、
前記画素回路は、
発光素子と、
ゲートソース間電圧に応じた駆動電流により前記発光素子を駆動する駆動トランジスタと、
前記ゲートソース間電圧を保持する保持容量と、
前記保持容量の一端の電圧を前記信号線用駆動信号の電圧に設定する書込トランジスタとを少なくとも有し、
前記発光素子を発光させる発光期間と、前記発光素子の発光を停止させる非発光期間とを交互に繰り返し、
前記非発光期間において、前記書込信号による前記書込トランジスタの制御により、前記保持容量の端子間電圧を前記信号線駆動信号に応じた電圧に設定して、続く前記発光期間における前記発光素子の発光輝度を設定し、
前記画像表示装置の駆動方法は、
前記画像データに動きが無い場合、前記書込信号による前記書込トランジスタの制御を停止し、前記書込トランジスタをオフ状態に保持する
画像表示装置の駆動方法。
【請求項８】
画素回路をマトリックス状に配置して形成された表示部と、
画像データに応じて信号線用駆動信号を生成し、前記信号線用駆動信号を前記表示部の信号線に出力する信号線駆動回路と、
前記表示部の書込用走査線に書込信号を出力する走査線駆動回路とを有する画像表示装置であって、
前記走査線駆動回路は、
前記画像データに変化が無い場合、前記書込信号の出力を停止する
画像表示装置。
【請求項９】
画素回路をマトリックス状に配置して形成された表示部と、
画像データに応じて信号線用駆動信号を生成し、前記信号線用駆動信号を前記表示部の信号線に出力する信号線駆動回路と、
前記表示部の書込用走査線に書込信号を出力する走査線駆動回路とを有する画像表示装置の駆動方法であって、
前記走査線駆動回路は、
前記画像データに変化が無い場合、前記書込信号の出力を停止する
画像表示装置の駆動方法。
【手続補正２】
【補正対象書類名】明細書
【補正対象項目名】００１１
【補正方法】変更
【補正の内容】
【００１１】
また請求項７の発明は、画素回路をマトリックス状に配置して形成された表示部と、画像データを処理して信号線用駆動信号を生成し、前記信号線用駆動信号を前記表示部の信号線に出力する信号線駆動回路と、前記表示部の電源用走査線及び書込用走査線に電源用駆動信号及び書込信号を出力する走査線駆動回路とを有する画像表示装置の駆動方法に適用する。前記画素回路は、発光素子と、ゲートソース間電圧に応じた駆動電流により前記発光素子を駆動する駆動トランジスタと、前記ゲートソース間電圧を保持する保持容量と、前記保持容量の一端の電圧を前記信号線用駆動信号の電圧に設定する書込トランジスタとを少なくとも有し、前記発光素子を発光させる発光期間と、前記発光素子の発光を停止させる非発光期間とを交互に繰り返し、前記非発光期間において、前記書込信号による前記書込トランジスタの制御により、前記保持容量の端子間電圧を前記信号線駆動信号に応じた電圧に設定して、続く前記発光期間における前記発光素子の発光輝度を設定する。前記画像表示装置の駆動方法は、前記画像データに動きが無い場合、前記書込信号による前記書込トランジスタの制御を停止し、前記書込トランジスタをオフ状態に保持する。
また請求項８の発明は、画素回路をマトリックス状に配置して形成された表示部と、画像データに応じて信号線用駆動信号を生成し、前記信号線用駆動信号を前記表示部の信号線に出力する信号線駆動回路と、前記表示部の書込用走査線に書込信号を出力する走査線駆動回路とを有する。前記走査線駆動回路は、前記画像データに変化が無い場合、前記書込信号の出力を停止する。
また請求項９の発明は、画素回路をマトリックス状に配置して形成された表示部と、画像データに応じて信号線用駆動信号を生成し、前記信号線用駆動信号を前記表示部の信号線に出力する信号線駆動回路と、前記表示部の書込用走査線に書込信号を出力する走査線駆動回路とを有する画像表示装置の駆動方法に適用する。前記走査線駆動回路は、前記画像データに変化が無い場合、前記書込信号の出力を停止する。

【手続補正３】
【補正対象書類名】明細書
【補正対象項目名】００１２
【補正方法】変更
【補正の内容】
【００１２】
請求項１、又は請求項７の構成により、画像データに動きが無い場合、書込信号による書込トランジスタの制御を停止し、書込トランジスタをオフ状態に保持すれば、発光輝度の階調を変更する必要の無い場合に、発光素子の階調を設定する処理を中止することができる。従ってこの発光素子の階調の設定に係る消費電力を低減し、画像表示装置全体の消費電力を低減することができる。
請求項８、又は請求項９の構成により、画像データに変化が無い場合、書込信号の出力を停止するので、走査線駆動回路の消費電力を低減することができる。従って画像表示装置全体の消費電力を低減することができる。